(57)【要約】      （修正有）【課題】蓄電デバイスどうしの端子の接続性を向上する。【解決手段】直方体形状に形成され積層された正極体２及び負極体３を電解液５とともに収容するケース１０と、正極体２に接続されケース１０から外部に引き出される正電極２２と、負極体３に接続されケース１０から外部に引き出される負電極２３とを備え、正電極２２と負電極２３とを介して充放電可能な電気二重層キャパシタ（蓄電デバイス）１であって、正電極２２は、ケース１０の側面１１の端部から側面１１に沿って、側面１１の全幅に渡って延設される端面２２ａを有し、負電極２３は、正電極２２と平行に設けられ、側面１１と対向する側面１２の端部から側面１２に沿って、側面１２の全幅に渡って延設される端面２３ａを有する。【選択図】図１
2012009549.tif 000002
【特許請求の範囲】
【請求項１】
直方体形状に形成され、積層された正極体及び負極体を電解液とともに収容するケースと、
前記正極体に接続され、前記ケースから外部に引き出される正電極と、
前記負極体に接続され、前記ケースから外部に引き出される負電極と、を備え、前記正電極と前記負電極とを介して充放電可能な蓄電デバイスであって、
前記正電極は、前記ケースの任意の第一の面の端部から当該第一の面に沿って、当該第一の面の全幅に渡って延設される端面を有し、
前記負電極は、前記正電極と平行に設けられ、前記第一の面と対向する第二の面の端部から当該第二の面に沿って、当該第二の面の全幅に渡って延設される端面を有することを特徴とする蓄電デバイス。
【請求項２】
前記正電極及び前記負電極は、各々の端面から前記ケースの外形に沿って直角に形成される側面を有することを特徴とする請求項１に記載の蓄電デバイス。
【請求項３】
前記正電極及び前記負電極は、直方体形状に形成され前記ケースの同一面上に設けられる一対の金属ブロックであり、
前記端面及び前記側面は、それぞれ前記金属ブロックの一面であることを特徴とする請求項２に記載の蓄電デバイス。
【請求項４】
前記正電極及び前記負電極は、前記ケースの同一面上に設けられる一対の板金であり、
前記側面は、前記端面から前記板金を直角に屈曲して形成される屈曲部であることを特徴とする請求項２に記載の蓄電デバイス。
【請求項５】
前記正電極及び前記負電極は、前記ケースの対向する面上に各々設けられる一対の板金であり、
前記側面は、前記端面から前記板金を直角に屈曲して形成された屈曲部であることを特徴とする請求項２に記載の蓄電デバイス。
【請求項６】
前記正電極及び前記負電極は、前記ケースの対向する一対の面の、各々の全面に設けられる金属ブロックであることを特徴とする請求項２に記載の蓄電デバイス。
【請求項７】
前記正電極及び前記負電極は、各々の前記金属ブロックの中央に凹状に形成される凹部を有することを特徴とする請求項６に記載の蓄電デバイス。
【請求項８】
請求項１から７のいずれか一つに記載の蓄電デバイスを複数備える蓄電モジュールであって、
複数の前記蓄電デバイスは、互いに当接して配置され、
各々の前記蓄電デバイスの前記正電極及び前記負電極は、互いに接合されて電気的に接続されることを特徴とする蓄電モジュール。
【発明の詳細な説明】
【技術分野】
【０００１】
本発明は、電荷を蓄えることが可能な蓄電デバイス、及び複数の蓄電デバイスを備える蓄電モジュールに関するものである。
【背景技術】
【０００２】
一般に、電気二重層キャパシタ（以下、単に「キャパシタ」と称する。）やリチウムイオン電池などの蓄電モジュールは、耐電圧が３〜５ボルト程度の蓄電デバイスが複数接続されて形成される。蓄電モジュールは、複数の蓄電デバイスを直列に接続して所望の電圧に設定され、複数の蓄電デバイスを並列に接続して所望の蓄電容量に設定される。
【０００３】
特許文献１には、各々のキャパシタの端子を、他のキャパシタの端子にスポット溶接によって接合して電気的に接続するキャパシタモジュールの製造方法が開示されている。
【先行技術文献】
【特許文献】
【０００４】
【特許文献１】特開２００６−１０８３８０号公報
【発明の概要】
【発明が解決しようとする課題】
【０００５】
しかしながら、特許文献１のようなキャパシタモジュールでは、近隣のキャパシタどうしを電気的に接続する際、一方のキャパシタの端子と他方のキャパシタの端子とを、アルミニウム板の接続部材によって連結しており、接続構造が複雑であった。
【０００６】
本発明は、上記の問題点に鑑みてなされたものであり、蓄電デバイスどうしの端子の接続性を向上することを目的とする。
【課題を解決するための手段】
【０００７】
本発明は、直方体形状に形成され、積層された正極体及び負極体を電解液とともに収容するケースと、前記正極体に接続され、前記ケースから外部に引き出される正電極と、前記負極体に接続され、前記ケースから外部に引き出される負電極と、を備え、前記正電極と前記負電極とを介して充放電可能な蓄電デバイスであって、前記正電極は、前記ケースの任意の第一の面の端部から当該第一の面に沿って、当該第一の面の全幅に渡って延設される端面を有し、前記負電極は、前記正電極と平行に設けられ、前記第一の面と対向する第二の面の端部から当該第二の面に沿って、当該第二の面の全幅に渡って延設される端面を有することを特徴とする。
【発明の効果】
【０００８】
本発明では、正電極及び負電極は、ケースの第一の面と、第一の面と対向する第二の面との各々の端部から、各々の面の全幅に渡って延設される端面を有する。複数の蓄電デバイスを互いに当接するように配置したときには、隣接する正電極及び負電極の端面どうしが当接するため、電極を容易に接続できる。したがって、蓄電デバイスどうしの端子の接続性を向上できる。
【図面の簡単な説明】
【０００９】
【図１】（ａ）は、本発明の第１の実施の形態に係る蓄電デバイスの斜視図であり、（ｂ）は、図１（ａ）におけるＸ矢視図を断面で示した図である。
【図２】（ａ）は、本発明の第１の実施の形態に係る蓄電デバイスを三直列に連結して構成される蓄電モジュールの平面図であり、（ｂ）は、図２（ａ）における回路図である。
【図３】（ａ）は、本発明の第１の実施の形態に係る蓄電デバイスを三直列二並列に連結して構成される蓄電モジュールの平面図であり、（ｂ）は、図３（ａ）における回路図である。
【図４】本発明の第２の実施の形態に係る蓄電デバイスの斜視図である。
【図５】本発明の第２の実施の形態に係る蓄電デバイスを三直列に連結して構成される蓄電モジュールの平面図である。
【図６】本発明の第２の実施の形態に係る蓄電デバイスを三直列二並列に連結して構成される蓄電モジュールの斜視図である。
【図７】本発明の第３の実施の形態に係る蓄電デバイスの斜視図である。
【図８】（ａ）は、本発明の第３の実施の形態に係る蓄電デバイスを三直列に連結して構成される蓄電モジュールの側面図であり、（ｂ）は、図８（ａ）における下面図である。
【図９】（ａ）は、本発明の第３の実施の形態に係る蓄電デバイスを三直列二並列に連結して構成される蓄電モジュールの側面図であり、（ｂ）は、図９（ａ）における下面図である。
【図１０】本発明の第４の実施の形態に係る蓄電デバイスの斜視図である。
【図１１】本発明の第４の実施の形態に係る蓄電デバイスを三直列に連結して構成される蓄電モジュールの平面図である。
【図１２】本発明の第４の実施の形態に係る蓄電デバイスを三直列二並列に連結して構成される蓄電モジュールの平面図である。
【図１３】本発明の第４の実施の形態の変形例に係る蓄電デバイスの斜視図である。
【発明を実施するための形態】
【００１０】
以下、図面を参照して、本発明の実施の形態について説明する。
【００１１】
（第１の実施の形態）
以下、図１から図３を参照して、本発明の第１の実施の形態に係る蓄電デバイスとしての電気二重層キャパシタ（以下、単に「キャパシタ」と称する。）１，及び複数のキャパシタ１を有する蓄電モジュールとしてのキャパシタモジュール５０，６０について説明する。
【００１２】
まず、図１を参照して、キャパシタ１について説明する。
【００１３】
図１（ａ）に示すように、キャパシタ１は、直方体形状のケース１０と、ケース１０から外部に引き出される電極２０とを備える。
【００１４】
ケース１０は、対向する側面１１，１２と、側面１１，１２の上端を結ぶ上面１３及び底面１４と、側面１１，１２と上面１３と底面１４と各々一辺を共有する側面１５，１６とを有する六面体である。
【００１５】
図１（ｂ）に示すように、ケース１０の内部には、正極体２，負極体３，及び正極体２と負極体３との間に介在して両者を隔離するセパレータ４が積層されて収容される。ケース１０は、内部に電解液５を充填して密封される。キャパシタ１は、正極体２と負極体３との間の電解液５のイオンが電気二重層を構成して充放電可能に電気を蓄えるものである。
【００１６】
ケース１０の内部に正極体２，負極体３，及びセパレータ４を電解液５とともに直接収容するのではなく、これらをラミネートフィルムなどの密封された容器内に収容し、ラミネートフィルムごとケース１０内に収容してもよい。
【００１７】
図１（ａ）に示すように、電極２０は、正極体２に接続される正電極２２と、負極体３に接続される負電極２３とを備える。正電極２２と負電極２３とは、ケース１０の上面１３の両端部に対向して設けられる。つまり、正電極２２と負電極２３とは、ケース１０の同一面上に設けられる。
【００１８】
正電極２２は、直方体形状に形成される金属ブロックである。正電極２２は、複数のキャパシタ１が直列，並列に並べられたときに、隣接する他のキャパシタ１の正電極２２又は負電極２３と当接して電気的に接続される端面２２ａ及び側面２２ｂを有する。端面２２ａ及び側面２２ｂは、それぞれ金属ブロックの一面に形成される。
【００１９】
端面２２ａは、ケース１０の側面１１の端部から側面１１に沿って形成される。端面２２ａは、側面１１の全幅に渡って延設される。この場合、側面１１が、任意の第一の面である。
【００２０】
側面２２ｂは、端面２２ａの両端部からケース１０の外形に沿って直角に形成される。一対の側面２２ｂは、それぞれケース１０の側面１５と側面１６とに沿って互いに並行に形成される。側面２２ｂは、側面１５，１６の端部の一部のみに渡って形成される。
【００２１】
負電極２３は、直方体形状に形成される金属ブロックである。負電極２３は、複数のキャパシタ１が直列，並列に並べられたときに、隣接する他のキャパシタ１の負電極２３又は正電極２２と当接して電気的に接続される端面２３ａ及び側面２３ｂを有する。端面２３ａ及び側面２３ｂは、それぞれ金属ブロックの一面に形成される。負電極２３は、正電極２２と平行に設けられる。
【００２２】
端面２３ａは、ケース１０の側面１１と対向する側面１２の端部から側面１２に沿って形成される。端面２３ａは、側面１２の全幅に渡って延設される。この場合、側面１２が第二の面である。
【００２３】
側面２３ｂは、端面２３ａの両端部からケース１０の外形に沿って直角に形成される。一対の側面２３ｂは、それぞれケース１０の側面１５又は側面１６に沿って互いに並行に形成される。側面２２ｂは、側面１５，１６の端部の一部のみに渡って形成される。
【００２４】
次に、図２を参照して、キャパシタモジュール５０について説明する。
【００２５】
キャパシタモジュール５０は、直列に接続される三個のキャパシタ１を備える。キャパシタモジュール５０は、図２（ｂ）に示す三直列の回路を形成する。キャパシタモジュール５０の全体の電圧は、例えばキャパシタ１の単体の端子電圧が３．０［Ｖ］である場合には、三個のキャパシタ１が直列に接続されるため、三倍の９．０［Ｖ］である。
【００２６】
三個のキャパシタ１は、正電極２２の端面２２ａが位置する側面１１と、他のキャパシタ１の負電極２３の端面２３ａが位置する側面１２とが互いに当接するように配置される。二個のキャパシタ１が当接する面では、一方のキャパシタ１の正電極２２と、他方のキャパシタ１の負電極２３とが接合されて電気的に接続される。
【００２７】
具体的には、一方のキャパシタ１の正電極２２の端面２２ａが、他方のキャパシタ１の負電極２３の端面２３ａと当接する。正電極２２と負電極２３とは、端面２２ａと端面２３ａとが当接した状態で、レーザーや電気抵抗熱などの突き合わせ溶接によって接合される。これにより、二個のキャパシタ１が直列に接合され、電気的に接続される。正電極２２と負電極２３とを、突き合わせ溶接ではなく、正電極２２及び負電極２３にねじ穴を形成してバスバー接続によって接合してもよい。
【００２８】
キャパシタモジュール５０では、一方のキャパシタ１の側面１１と、他方のキャパシタ１の側面１２とが互いに当接するように配置されるため、隣接する正電極２２及び負電極２３の端面２２ａ，２３ａどうしが当接する。よって、正電極２２と負電極２３とを容易に接続でき、二つのキャパシタ１の間での正電極２２と負電極２３との接続性を向上できる。
【００２９】
また、正電極２２と負電極２３を直接溶接することによって接合するため、キャパシタモジュール５０の小型化，省スペース化が可能である。よって、キャパシタモジュール５０のエネルギ密度を向上できる。
【００３０】
なお、キャパシタモジュール５０のようにキャパシタ１を三直列に接続するだけでなく、任意の数のキャパシタ１を直列に接続することが可能である。
【００３１】
次に、図３を参照して、キャパシタモジュール６０について説明する。
【００３２】
キャパシタモジュール６０は、直列及び並列に接続される六個のキャパシタ１を備える。キャパシタモジュール６０は、図３（ｂ）に示す三直列二並列の回路を形成する。キャパシタモジュール６０は、二個のキャパシタモジュール５０が並列に接続されて形成される。よって、キャパシタモジュール６０の静電容量は、例えばキャパシタモジュール５０の静電容量が５．０［Ｆ］である場合には、二倍の１０．０［Ｆ］である。
【００３３】
また、キャパシタモジュール６０の全体の電圧は、例えばキャパシタ１の単体の端子電圧が３．０［Ｖ］である場合には、三個のキャパシタ１が直列に接続されるため、三倍の９．０［Ｖ］である。
【００３４】
キャパシタモジュール６０は、二個のキャパシタモジュール５０が、一方のキャパシタモジュール５０におけるキャパシタ１の側面１５と、他方のキャパシタモジュール５０におけるキャパシタ１の側面１６とが当接するように並べられて接続される。二個のキャパシタ１が当接する面では、二個のキャパシタ１の正電極２２どうしが接合され、二個のキャパシタ１の負電極２３どうしが接合されて、それぞれ電気的に接続される。
【００３５】
具体的には、一方のキャパシタ１の正電極２２の側面２２ｂが、他方のキャパシタ１の正電極２２の側面２２ｂと当接する。二個のキャパシタ１の正電極２２どうしは、側面２２ｂどうしが当接した状態で、レーザーや電気抵抗熱などの突き合わせ溶接によって接合される。
【００３６】
また、一方のキャパシタ１の負電極２３の側面２３ｂが、他方のキャパシタ１の負電極２３の側面２３ｂと当接する。二個のキャパシタ１の負電極２３どうしもまた、側面２３ｂどうしが当接した状態で、レーザーや電気抵抗熱などの突合せ溶接によって接合される。これにより、二個のキャパシタ１が並列に接合され、電気的に接続される。
【００３７】
キャパシタモジュール６０では、一方のキャパシタ１の側面１５と、他方のキャパシタ１の側面１６とが互いに当接するように配置したときには、隣接する正電極２２の側面２２ｂどうしが当接し、隣接する負電極２３の側面２３ｂどうしが当接する。よって、正電極２２どうし及び負電極２３どうしを容易に接続でき、二つのキャパシタ１の間での正電極２２及び負電極２３どうしの接続性を向上できる。
【００３８】
また、正電極２２と負電極２３を直接溶接することによって接合するため、キャパシタモジュール６０の小型化，省スペース化が可能である。よって、キャパシタモジュール６０のエネルギ密度を向上できる。
【００３９】
なお、キャパシタモジュール６０のようにキャパシタ１を三直列二並列に接続するだけでなく、任意の数のキャパシタ１を直列及び並列に接続することが可能である。
【００４０】
以上の実施の形態によれば、以下の効果を奏する。
【００４１】
キャパシタ１では、正電極２２及び負電極２３は、ケース１０の側面１１と側面１２との各々に沿って、それぞれ側面１１，１２の全幅に渡って延設される端面２２ａ，２３ａを有する。複数のキャパシタ１を直列に接続するときには、隣接する正電極２２及び負電極２３の端面２２ａ，２３ａどうしが当接する。したがって、直列に接続されるキャパシタ１の正電極２２，負電極２３どうしの接続性を向上できる。
【００４２】
また、正電極２２及び負電極２３は、ケース１０の側面１５と側面１６との各々に沿って延設される側面２２ｂ、２３ｂを有する。複数のキャパシタ１を並列に接続するときには、隣接する正電極２２の側面２２ｂどうしが当接し、負電極２３の側面２３ｂどうしが当接する。したがって、並列に接続されるキャパシタ１の正電極２２どうし、及び負電極２３どうしの接続性を向上できる。
【００４３】
（第２の実施の形態）
以下、図４から図６を参照して、本発明の第２の実施の形態に係る蓄電デバイスとしてのキャパシタ２０１、及び複数のキャパシタ２０１を有する蓄電モジュールとしてのキャパシタモジュール２５０，２６０について説明する。なお、以下に示す各実施形態では、前述した実施の形態と同様の構成には同一の符号を付し、重複する説明は適宜省略する。
【００４４】
第２の実施の形態では、キャパシタ２０１に設けられる電極２２０の形状が第１の実施の形態とは相違する。
【００４５】
まず、図４を参照して、キャパシタ２０１について説明する。
【００４６】
キャパシタ２０１は、直方体形状のケース１０と、ケース１０から外部に引き出される電極２２０とを備える。
【００４７】
電極２２０は、正極体２に接続される正電極２２２と、負極体３に接続される負電極２２３とを備える。正電極２２２と負電極２２３とは、ケース１０の上面１３の両端部に対向して設けられる。つまり、正電極２２２と負電極２２３とは、ケース１０の同一面上に設けられる。
【００４８】
正電極２２２は、コの字形状に屈曲して形成される板金である。正電極２２２は、複数のキャパシタ２０１が直列，並列に並べられたときに、隣接する他のキャパシタ１の正電極２２２又は負電極２２３と当接して電気的に接続される端面２２２ａ及び側面２２２ｂを有する。端面２２２ａ及び側面２２２ｂは、それぞれ板金の一面に形成される。
【００４９】
端面２２２ａは、ケース１０の側面１１の端部から側面１１に沿って形成される。端面２２２ａは、側面１１の全幅に渡って延設される。この場合、側面１１が、任意の第一の面である。
【００５０】
側面２２２ｂは、端面２２２ａの両端部から板金を直角に屈曲して形成される屈曲部２２４に設けられる。一対の側面２２２ｂは、それぞれケース１０の側面１５と側面１６とに沿って互いに平行に形成される。側面２２２ｂは、側面１５，１６の端部の一部のみに渡って形成される。
【００５１】
負電極２２３は、コの字形状に屈曲して形成される板金である。負電極２２３は、複数のキャパシタ１が直列，並列に並べられたときに、隣接する他のキャパシタ１の負電極２２３又は正電極２２２と当接して電気的に接続される端面２２３ａ及び側面２２３ｂを有する。端面２２３ａ及び側面２２３ｂは、それぞれ板金の一面に形成される。負電極２２３は、正電極２２２と平行に設けられる。
【００５２】
端面２２３ａは、ケース１０の側面１１と対向する側面１２の端部から側面１２に沿って形成される。端面２２３ａは、側面１２の全幅に渡って延設される。この場合、側面１２が第二の面である。
【００５３】
側面２２３ｂは、端面２２３ａの両端部から板金を直角に屈曲して形成される屈曲部２２５に形成される。一対の側面２２３ｂは、それぞれケース１０の側面１５又は側面１６に沿って形成される。側面２２２ｂは、側面１５，１６の端部の一部のみに渡って形成される。
【００５４】
次に、図５を参照して、キャパシタモジュール２５０について説明する。
【００５５】
キャパシタモジュール２５０は、直列に接続される三個のキャパシタ２０１を備える。
【００５６】
三個のキャパシタ２０１は、正電極２２２の端面２２２ａが位置する側面１１と、他のキャパシタ１の負電極２２３の端面２２３ａが位置する側面１２とが互いに当接するように配置される。二個のキャパシタ２０１が当接する面では、一方のキャパシタ２０１の正電極２２２と、他方のキャパシタ２０１の負電極２２３とが接合されて電気的に接続される。
【００５７】
具体的には、一方のキャパシタ２０１の正電極２２２の端面２２２ａが、他方のキャパシタ２０１の負電極２２３の端面２２３ａと当接する。正電極２２２と負電極２２３とは、端面２２２ａと端面２２３ａとが当接した状態で、スポット溶接によって接合される。これにより、二個のキャパシタ２０１が直列に接合され、電気的に接続される。
【００５８】
正電極２２２と負電極２２３とは、コの字形状に屈曲して形成される板金であるため、スポット溶接機（図示省略）の電極で挟みやすく、スポット溶接による接合に適している。スポット溶接の他にも、他の溶接方法によって接合したり、正電極２２２及び負電極２２３にねじ穴を形成してバスバー接続によって接合してもよい。バスバー接続をする場合、正電極２２２及び負電極２２３は、第一の実施の形態における正電極２２及び負電極２３と比べて薄く形成されるため、短いバスバーで接続可能である。
【００５９】
また、キャパシタ２０１の加工精度の問題等によって、一方のキャパシタ２０１と他方のキャパシタ２０１とを直列に当接させたときに正電極２２２と負電極２２３とが当接せずに隙間が空いた場合にも、コの字形状の板金を変形させることで直列に当接させることができる。
【００６０】
キャパシタモジュール２５０では、一方のキャパシタ２０１の側面１１と、他方のキャパシタ２０１の側面１２とが互いに当接するように配置されるため、隣接する正電極２２２及び負電極２２３の端面２２２ａ，２２３ａどうしが当接する。よって、正電極２２２と負電極２２３とを容易に接続でき、二つのキャパシタ２０１の間での正電極２２２と負電極２２３との接続性を向上できる。
【００６１】
次に、図６を参照して、キャパシタモジュール２６０について説明する。
【００６２】
キャパシタモジュール２６０は、三直列二並列に接続される六個のキャパシタ２０１を備える。
【００６３】
キャパシタモジュール２６０では、二個のキャパシタモジュール２５０が、一方のキャパシタモジュール２５０におけるキャパシタ２０１の側面１５と、他方のキャパシタモジュール２５０におけるキャパシタ２０１の側面１６とが当接するように並べられて接続される。二個のキャパシタ２０１が当接する面では、二個のキャパシタ２０１の正電極２２２どうしが接合され、二個のキャパシタ２０１の負電極２２３どうしが接合されて、それぞれ電気的に接続される。
【００６４】
具体的には、一方のキャパシタ２０１の正電極２２２の側面２２２ｂが、他方のキャパシタ２０１の正電極２２２の側面２２２ｂと当接する。二個のキャパシタ２０１の正電極２２２どうしは、側面２２２ｂどうしが当接した状態で、スポット溶接によって接合される。
【００６５】
また、一方のキャパシタ２０１の負電極２２３の側面２２３ｂが、他方のキャパシタ２０１の負電極２２３の側面２２３ｂと当接する。二個のキャパシタ２０１の負電極２２３どうしもまた、側面２２３ｂどうしが当接した状態で、スポット溶接によって接合される。これにより、二個のキャパシタ２０１が並列に接合され、電気的に接続される。
【００６６】
この場合もまた、正電極２２２と負電極２２３とは、コの字形状に屈曲して形成される板金であるため、スポット溶接機の電極で挟みやすく、スポット溶接による接合に適している。
【００６７】
また、キャパシタ２０１の加工精度の問題等によって、一方のキャパシタ２０１と他方のキャパシタ２０１とを並列に当接させたときに正電極２２２どうし又は負電極２２３どうしが当接しなかったような場合にも、コの字形状の板金を変形させることで並列に当接させることができる。
【００６８】
キャパシタモジュール２６０では、一方のキャパシタ２０１の側面１５と、他方のキャパシタ２０１の側面１６とが互いに当接するように配置したときには、隣接する正電極２２２の側面２２２ｂどうしが当接し、隣接する負電極２２３の側面２２３ｂどうしが当接する。よって、正電極２２２どうし及び負電極２２３どうしを容易に接続でき、二つのキャパシタ２０１の間での正電極２２２及び負電極２２３どうしの接続性を向上できる。
【００６９】
以上の実施の形態によれば、以下の効果を奏する。
【００７０】
複数のキャパシタ２０１を直列に接続するときには、隣接する正電極２２２及び負電極２２３の端面２２２ａ，２２３ａどうしが当接し、複数のキャパシタ２０１を並列に接続するときには、隣接する正電極２２２の側面２２２ｂどうし及び負電極２２３の側面２２３ｂどうしが当接する。したがって、キャパシタ２０１を直列に接続する際の正電極２２２と負電極２２３との接続性を向上できるとともに、並列に接続する際のキャパシタ２０１の正電極２２２どうし、及び負電極２２３どうしの接続性を向上できる。
【００７１】
また、正電極２２２及び負電極２２３は、ともにコの字形状に屈曲して形成される板金であるため、抵抗溶接機の電極で挟みやすく、スポット溶接による接合に適している。
【００７２】
（第３の実施の形態）
以下、図７から図９を参照して、本発明の第３の実施の形態に係る蓄電デバイスとしてのキャパシタ３０１、及び複数のキャパシタ３０１を有するキャパシタモジュール３５０，３６０について説明する。
【００７３】
第３の実施の形態では、キャパシタ３０１に設けられる電極３２０の形状が第１の実施の形態とは相違し、負電極３２３が形成される位置が第２の実施の形態とは相違する。
【００７４】
まず、図７を参照して、キャパシタ３０１について説明する。
【００７５】
キャパシタ３０１は、直方体形状のケース１０と、ケース１０から外部に引き出される電極３２０とを備える。
【００７６】
電極３２０は、正極体２に接続される正電極２２２と、負極体３に接続される負電極３２３とを備える。正電極２２２は、ケース１０の上面１３の端部に設けられ、負電極３２３は、ケース１０の底面１４の端部に設けられる。つまり、正電極２２２と負電極３２３とは、ケース１０の対向する面上に各々設けられる。
【００７７】
負電極３２３は、コの字形状に屈曲して形成される板金である。負電極３２３は、複数のキャパシタ３０１が直列，並列に並べられたときに、隣接する他のキャパシタ３０１の負電極３２３又は正電極２２２と当接して電気的に接続される端面３２３ａ及び側面３２３ｂを有する。端面３２３ａ及び側面３２３ｂは、それぞれ板金の一面に形成される。負電極３２３は、正電極２２２と平行に設けられる。
【００７８】
端面３２３ａは、ケース１０の側面１１と対向する側面１２の端部から側面１２に沿って形成される。端面３２３ａは、側面１２の全幅に渡って延設される。この場合、側面１２が第二の面である。
【００７９】
側面３２３ｂは、端面３２３ａの両端部から板金を直角に屈曲して形成される屈曲部３２５に形成される。一対の側面３２３ｂは、それぞれケース１０の側面１５又は側面１６に沿って形成される。側面２２２ｂは、側面１５，１６の端部の一部のみに渡って形成される。
【００８０】
次に、図８を参照して、キャパシタモジュール３５０について説明する。
【００８１】
キャパシタモジュール３５０は、直列に接続される三個のキャパシタ３０１を備える。
【００８２】
三個のキャパシタ３０１は、正電極２２２の端面２２２ａが位置する側面１１と、他のキャパシタ３０１の負電極３２３の端面３２３ａが位置する側面１２とが互いに当接するように配置される。二個のキャパシタ３０１が当接する面では、一方のキャパシタ３０１の正電極２２２と、他方のキャパシタ３０１の負電極３２３とが接合されて電気的に接続される。
【００８３】
具体的には、一方のキャパシタ３０１の正電極２２２の端面２２２ａが、他方のキャパシタ３０１の負電極３２３の端面３２３ａと当接する。正電極２２２と負電極３２３とは、端面２２２ａと端面３２３ａとが当接した状態で、スポット溶接によって接合される。これにより、二個のキャパシタ３０１が直列に接合され、電気的に接続される。
【００８４】
キャパシタモジュール３５０では、一方のキャパシタ３０１の側面１１と、他方のキャパシタ３０１の側面１２とが互いに当接するように配置されるため、隣接する正電極２２２及び負電極３２３の端面２２２ａ，３２３ａどうしが当接する。よって、正電極２２２と負電極３２３とを容易に接続でき、二つのキャパシタ３０１の間での正電極２２２と負電極３２３との接続性を向上できる。
【００８５】
次に、図９を参照して、キャパシタモジュール３６０について説明する。
【００８６】
キャパシタモジュール３６０は、三直列二並列に接続される六個のキャパシタ３０１を備える。
【００８７】
キャパシタモジュール３６０では、二個のキャパシタモジュール３５０が、一方のキャパシタモジュール３５０におけるキャパシタ３０１の側面１５と、他方のキャパシタモジュール３５０におけるキャパシタ３０１の側面１６とが当接するように並べられて接続される。二個のキャパシタ３０１が当接する面では、二個のキャパシタ３０１の正電極２２２どうしが接合され、二個のキャパシタ３０１の負電極３２３どうしが接合されて、それぞれ電気的に接続される。
【００８８】
具体的には、一方のキャパシタ３０１の正電極２２２の側面２２２ｂが、他方のキャパシタ３０１の正電極２２２の側面２２２ｂと当接する。二個のキャパシタ３０１の正電極２２２どうしは、側面２２２ｂどうしが当接した状態で、スポット溶接によって接合される。
【００８９】
また、一方のキャパシタ３０１の負電極３２３の側面３２３ｂが、他方のキャパシタ３０１の負電極３２３の側面３２３ｂと当接する。二個のキャパシタ３０１の負電極３２３どうしもまた、側面３２３ｂどうしが当接した状態で、スポット溶接によって接合される。これにより、二個のキャパシタ３０１が並列に接合され、電気的に接続される。
【００９０】
キャパシタモジュール３６０では、一方のキャパシタ３０１の側面１５と、他方のキャパシタ３０１の側面１６とが互いに当接するように配置したときには、隣接する正電極２２２の側面２２２ｂどうしが当接し、隣接する負電極３２３の側面３２３ｂどうしが当接する。よって、正電極２２２どうし及び負電極３２３どうしを容易に接続でき、二つのキャパシタ３０１の間での正電極２２２及び負電極３２３どうしの接続性を向上できる。
【００９１】
以上の実施の形態によれば、以下の効果を奏する。
【００９２】
複数のキャパシタ３０１を直列に接続するときには、隣接する正電極２２２及び負電極３２３の端面２２２ａ，３２３ａどうしが当接し、複数のキャパシタ３０１を並列に接続するときには、隣接する正電極２２２の側面２２２ｂどうし及び負電極３２３の側面３２３ｂどうしが当接する。したがって、キャパシタ３０１を直列に接続する際の正電極２２２と負電極３２３との接続性を向上できるとともに、並列に接続する際のキャパシタ３０１の正電極２２２どうし、及び負電極３２３どうしの接続性を向上できる。
【００９３】
なお、キャパシタ３０１では、正電極２２２と負電極３２３とが、それぞれ上面１３と底面１４とに形成される。そのため、複数のキャパシタ３０１を接続する際に、一方のキャパシタ３０１の上面１３の上方に他方のキャパシタ３０１の底面１４が位置するようにキャパシタ３０１を配置することも可能である。このように、キャパシタ３０１は、正電極２２２及び負電極３２３が設けられる方向に積層して接続するのに適している。
【００９４】
（第４の実施の形態）
以下、図１０から図１２を参照して、本発明の第４の実施の形態に係る蓄電デバイスとしてのキャパシタ４０１、及び複数のキャパシタ４０１を有するキャパシタモジュール４５０，４６０について説明する。
【００９５】
第４の実施の形態では、キャパシタ４０１に設けられる電極４２０の形状がこれまでの実施の形態とは相違する。
【００９６】
まず、図１０を参照して、キャパシタ４０１について説明する。
【００９７】
キャパシタ４０１は、直方体形状のケース４１０と、ケース４１０から外部に引き出される電極４２０とを備える。
【００９８】
ケース４１０は、一対の側面４１１，４１２と、もう一対の側面４１５，４１６とが同一の形状に形成される。ケース４１０の他の構成は、これまでの実施の形態におけるケース１０と同様である。
【００９９】
電極４２０は、正極体２に接続される正電極４２２と、負極体３に接続される負電極４２３とを備える。正電極４２２は、ケース１０の上面１３の全面に設けられ、負電極４２３は、ケース１０の底面１４の全面に設けられる。つまり、正電極４２２と負電極２２３とは、ケース１０の対向する一対の面の各々の全面に設けられる。
【０１００】
正電極４２２は、直方体形状に形成される金属ブロックである。正電極４２２は、複数のキャパシタ４０１が並列に並べられたときに、隣接する他のキャパシタ４０１の正電極４２２と当接して電気的に接続される端面４２２ａ及び側面４２２ｂを有する。また、正電極４２２は、複数のキャパシタ４０１が直列に並べられたときに、隣接する他のキャパシタ４０１の負電極４２３と当接して電気的に接続される頂面４２２ｃを有する。端面４２２ａ，側面４２２ｂ，及び頂面４２２ｃは、それぞれ金属ブロックの一面に形成される。
【０１０１】
端面４２２ａは、ケース１０の側面４１１，４１２の端部から側面４１１，４１２に沿って形成される。端面４２２ａは、側面４１１，４１２の全幅に渡って延設される。この場合、側面４１１が、任意の第一の面である。
【０１０２】
側面４２２ｂは、一対の端面４２２ａの両端部どうしを結ぶように形成される。一対の側面４２２ｂは、それぞれケース１０の側面４１５と側面４１６とに沿って互いに平行に形成される。側面４２２ｂは、側面４１５，４１６の全幅に渡って形成される。側面４２２ｂは、端面４２２ａと同形状に形成される。
【０１０３】
頂面４２２ｃは、ケース１０の上面１３と平行に形成される。頂面４２２ｃは、一対の端面４２２ａ，及び一対の側面４２２ｂと各々一辺を共有して形成される。
【０１０４】
負電極４２３は、直方体形状に形成される金属ブロックである。負電極４２３は、複数のキャパシタ４０１が並列に並べられたときに、隣接する他のキャパシタ４０１の負電極４２３と当接して電気的に接続される端面４２３ａ及び側面４２３ｂを有する。また、負電極４２３は、複数のキャパシタ４０１が直列に並べられたときに、隣接する他のキャパシタ４０１の正電極４２２と当接して電気的に接続される頂面４２３ｃを有する。端面４２３ａ，側面４２３ｂ，及び頂面４２３ｃは、それぞれ金属ブロックの一面に形成される。負電極４２３は、正電極４２２と平行に設けられる。
【０１０５】
端面４２３ａは、ケース１０の側面４１１，４１２の端部から側面４１１，４１２に沿って形成される。端面４２３ａは、側面４１１，４１２の全幅に渡って延設される。この場合、側面４１２が第二の面である。
【０１０６】
側面４２３ｂは、一対の端面４２３ａの両端部どうしを結ぶように形成される。一対の側面４２３ｂは、それぞれケース１０の側面４１５と側面４１６とに沿って互いに平行に形成される。側面４２３ｂは、側面４１５，４１６の全幅に渡って形成される。側面４２２ｂは、端面４２２ａと同形状に形成される。
【０１０７】
頂面４２３ｃは、ケース１０の底面１４と平行に形成される。頂面４２３ｃは、一対の端面４２３ａ，及び一対の側面４２３ｂと各々一辺を共有して形成される。
【０１０８】
次に、図１１を参照して、キャパシタモジュール４５０について説明する。
【０１０９】
キャパシタモジュール４５０は、直列に接続される三個のキャパシタ４０１を備える。
【０１１０】
三個のキャパシタ４０１は、正電極４２２の頂面４２２ｃが位置する上面１３と、他のキャパシタ４０１の負電極４２３の頂面４２３ｃが位置する底面１４とが互いに当接するように配置される。二個のキャパシタ４０１が当接する面では、一方のキャパシタ４０１の正電極４２２と、他方のキャパシタ４０１の負電極４２３とが接合されて電気的に接続される。
【０１１１】
具体的には、一方のキャパシタ４０１の正電極４２２の頂面４２２ｃが、他方のキャパシタ４０１の負電極４２３の頂面４２３ｃと当接する。正電極４２２と負電極４２３とは、頂面４２２ｃと頂面４２３ｃとが当接した状態で、突き合わせ溶接によって接合される。これにより、二個のキャパシタ４０１が直列に接合され、電気的に接続される。
【０１１２】
キャパシタモジュール４５０では、一方のキャパシタ４０１の上面１３と、他方のキャパシタ４０１の底面１４とが互いに当接するように配置されるため、隣接する正電極４２２及び負電極４２３の頂面４２２ｃ，４２３ｃどうしが当接する。よって、正電極４２２と負電極４２３とを容易に接続でき、二つのキャパシタ４０１の間での正電極４２２と負電極４２３との接続性を向上できる。
【０１１３】
次に、図１２を参照して、キャパシタモジュール４６０について説明する。
【０１１４】
キャパシタモジュール４６０は、三直列二並列に接続される六個のキャパシタ４０１を備える。
【０１１５】
キャパシタモジュール４６０では、二個のキャパシタモジュール４５０が、一方のキャパシタモジュール４５０におけるキャパシタ４０１の側面４１５と、他方のキャパシタモジュール４５０におけるキャパシタ４０１の側面４１６とが当接するように並べられて接続される。二個のキャパシタ４０１が当接する面では、二個のキャパシタ４０１の正電極４２２どうしが接合され、二個のキャパシタ４０１の負電極４２３どうしが接合されて、それぞれ電気的に接続される。
【０１１６】
なお、この他にも、一方のキャパシタ４０１の側面４１１と他方のキャパシタ４０１の側面４１２が当接するように並べるなど、任意の側面どうしが当接するように並べることが可能である。
【０１１７】
具体的には、一方のキャパシタ４０１の正電極４２２の側面４２２ｂが、他方のキャパシタ４０１の正電極４２２の側面４２２ｂと当接する。二個のキャパシタ４０１の正電極４２２どうしは、側面４２２ｂどうしが当接した状態で、突き合わせ溶接によって接合される。
【０１１８】
また、一方のキャパシタ４０１の負電極４２３の側面４２３ｂが、他方のキャパシタ４０１の負電極４２３の側面４２３ｂと当接する。二個のキャパシタ４０１の負電極４２３どうしもまた、側面４２３ｂどうしが当接した状態で、突き合わせ溶接によって接合される。これにより、二個のキャパシタ４０１が並列に接合され、電気的に接続される。
【０１１９】
キャパシタモジュール４６０では、一方のキャパシタ４０１の側面４１５と、他方のキャパシタ４０１の側面４１６とが互いに当接するように配置したときには、隣接する正電極４２２の側面４２２ｂどうしが当接し、隣接する負電極４２３の側面４２３ｂどうしが当接する。よって、正電極４２２どうし及び負電極４２３どうしを容易に接続でき、二つのキャパシタ４０１の間での正電極４２２及び負電極４２３どうしの接続性を向上できる。
【０１２０】
なお、この他にも、二個のキャパシタ４０１を並列に接続する際に、一方のキャパシタ４０１の正電極４２２の端面４２２ａと、他方のキャパシタ４０１の正電極の側面４２２ｂとを接合することも可能である。このように、キャパシタ４０１では、端面４２２ａと側面４２２ｂとが同形状に形成されるため、接続時にその向きを調整する必要が無く、キャパシタ４０１どうしの接続が容易である。
【０１２１】
以上の実施の形態によれば、以下の効果を奏する。
【０１２２】
複数のキャパシタ４０１を直列に接続するときには、隣接する正電極４２２及び負電極４２３の頂面４２２ｃ，４２３ｃどうしが当接し、複数のキャパシタ４０１を並列に接続するときには、隣接する正電極４２２の側面４２２ｂどうし及び負電極４２３の側面４２３ｂどうしが当接する。したがって、キャパシタ４０１を直列に接続する際の正電極４２２と負電極４２３との接続性を向上できるとともに、並列に接続する際のキャパシタ４０１の正電極４２２どうし、及び負電極４２３どうしの接続性を向上できる。
【０１２３】
また、キャパシタ４０１では、端面４２２ａと側面４２２ｂとが同形状に形成されるため、並列接続時にその向きを調整する必要が無く、キャパシタ４０１どうしの並列接続が容易である。
【０１２４】
次に、図１３を参照して、本発明の第４の実施の形態の変形例に係る蓄電デバイスとしてのキャパシタ４７１について説明する。
【０１２５】
この変形例では、正電極４７２と負電極４７３とに、それぞれ凹部４７２ｄ，４７３ｄが成される点で第４の実施の形態とは相違する。
【０１２６】
正電極４７２及び負電極４７３は、各々の金属ブロックの中央をくり抜いて形成される凹部４７２ｄ，４７３ｄを有する。正電極４７２及び負電極４７３の他の構成は、第４の実施の形態における正電極４２２及び負電極４２３と同様である。
【０１２７】
凹部４７２ｄ，４７３ｄが形成されるため、正電極４２２及び負電極４２３は、中抜きの四角形の枠状に形成され、頂面４７２ｃ，４７３ｃは、大小の四角形に囲まれた枠状の部分になる。
【０１２８】
ここで、第４の実施の形態のように正電極４２２及び負電極４２３が直方体形状に形成される場合には、頂面４２２ｃ，４２３ｃが全面に形成されるため、頂面４２２ｃ，４２３ｃの平面度が要求される。
【０１２９】
これに対してこの変形例では、正電極４２２及び負電極４２３にそれぞれ凹部４２７ｄ，４７３ｄが形成されることによって、第４の実施の形態と比べて頂面４７２ｃ，４７３ｃの平面度が要求されない。また、正電極４７２及び負電極４７３の材料は、正電極４２２及び負電極４２３と比べて少ない。したがって、正電極４２２及び負電極４２３の加工コストや材料コストを抑制することができる。
【０１３０】
本発明は上記の実施の形態に限定されずに、その技術的な思想の範囲内において種々の変更がなしうることは明白である。
【符号の説明】
【０１３１】
１      キャパシタ
１０    ケース
１１    側面
１２    側面
２０    電極
２２    正電極
２２ａ  端面
２２ｂ  側面
２３    負電極
２３ａ  端面
２３ｂ  側面
５０    キャパシタモジュール
６０    キャパシタモジュール
【図１】
2012009549.tif 000003
【図２】
2012009549.tif 000004
【図３】
2012009549.tif 000005
【図４】
2012009549.tif 000006
【図５】
2012009549.tif 000007
【図６】
2012009549.tif 000008
【図７】
2012009549.tif 000009
【図８】
2012009549.tif 000010
【図９】
2012009549.tif 000011
【図１０】
2012009549.tif 000012
【図１１】
2012009549.tif 000013
【図１２】
2012009549.tif 000014
【図１３】
2012009549.tif 000015